(57)【要約】【課題】  振動モータの振動が収納体を介して複数種の多様な振動体に伝達され、変化に富んだ振動刺激が与えられるマッサージ器具を提供すること。【解決手段】  平面視横長矩形状の収納体１の上部に一対の軸受を複数列立設し、各軸受に多様な外周面を有する振動体を回動自在に軸支する。  また、各振動体は前記軸受に回動自在に軸支される支軸に分割されて嵌着されること、さらには、該振動体にはトルマリン成形体又は／及びフェライト磁石成形体が配設されることも要件とされる。【選択図】図１
0003133787.tif 000002
【実用新案登録請求の範囲】
【請求項１】
収納体と、該収納体に収納される振動モータと、電源と、電源と振動モータ間に配設される電路のスイッチ回路と、振動モータの振動が伝達される振動体とから成るマッサージ器具において、
前記収納体に一対の軸受を複数列立設し、各軸受に多様な外周面を有する振動体を回動自在に軸支して成るマッサージ器具。
【請求項２】
前記振動体が、前記軸受に回動自在に軸支される支軸において、各要素に分割されて軸着されて成る請求項１記載のマッサージ器具。
【請求項３】
前記振動体には、トルマリン成形体又は／及びフェライト磁石成形体が配設されて成る請求項１又は２記載のマッサージ器具。
【考案の詳細な説明】
【技術分野】
【０００１】  本考案は、物理療法として人体の特定の経穴を刺激又は圧迫するマッサージ器具に関する。
【背景技術】
【０００２】  振動モータを使用したマッサージ技術としては、特開平１１−２１６１６５号公報（特許文献１）や実用新案登録第３０８１４１２号公報（特許文献２）で提案されているが、何れも振動モータの軸心方向に振動体を設けるものであり、しかも、一系統の振動体によるマッサージであるため、マッサージ作用が単純で変化に乏しいものである。
【特許文献１】特開平１１−２１６１６５号公報
【特許文献２】実用新案登録第３０８１４１２号公報
【考案の開示】
【考案が解決しようとする課題】
【０００３】  本考案は上記実情に鑑みて、振動モータの振動が、該振動モータを収納する収納体を介して複数種の振動体に伝達され、変化に富んだ振動刺激が与えられるマッサージ器具を提供するものである。
【課題を解決するための手段】
【０００４】  本考案の請求項１に記載したマッサージ器具は、収納体と、該収納体に収納される振動モータと、電源と、電源と振動モータ間に配設される電路のスイッチ回路と、振動モータの振動が伝達される振動体とから成るマッサージ器具において、
前記収納体に一対の軸受を複数列立設し、各軸受に多様な外周面を有する振動体を回動自在に軸支して成る。
また、請求項２に記載した考案は、請求項１に記載したマッサージ器具において、前記振動体が、前記軸受に回動自在に軸支される支軸において、各要素に分割されて軸着されて成る。
さらに、請求項３に記載した考案は、請求項１又は２に記載したマッサージ器具において、前記振動体には、トルマリン成形体又は／及びフェライト磁石成形体が配設されて成る。
【考案の効果】
【０００５】  本考案のマッサージ器具によれば、複数種の振動体が各個に多様な外周面を有するから、マッサージでの圧迫や刺激が多様に渡る上、トルマリン効果や磁力効果によって一層血流がよくなり、新陳代謝が盛んになって疲労回復と健康増進が図られる。
【考案を実施するための最良の形態】
【０００６】本考案のマッサージ器具における振動体は、算盤珠状のものや、算盤珠状のものにして頂部周面に複数個の突起を周設したもの、円筒体の周面に複数の凹溝と凸条を周設したものなどで提供され、円筒体のものでは分割要素として、内部にトルマリン成形体を内蔵したり、算盤珠状のものでは分割要素として、各算盤珠間にフェライト磁石成形体を配設するものなどで提供される。
【実施例】
【０００７】  本考案を実施例により説明すると、図１乃至図３に示すように、平面視横長矩形状の外郭形状で、横１００ｍｍ、縦６０ｍｍ、高さ３０ｍｍの収納体１の上部に陥没収納部２を凹設するとともに、横方向で対向する周壁３の上面には一対の軸受を３列配列するが、左方のそれを左部軸受４とし、中間のものを中間軸受５とし、右方の軸受を右部軸受６として成る。そして、下部に形成される下部陥没収納部７には図４に示すように、振動モータ８を包蔵したケース８ａと、オンオフスイッチ９と、電源である電池１０を収納した電池ボックス１０ａと、電池１０と振動モータ８間に配線される電路をオンオフスイッチ９で入り切りするスイッチ回路１１とが収納され、該下部陥没収納部７は、底面と面一な底蓋１２でビス止めにより開閉自在に閉止される。
前記左部軸受４には、外径２５ｍｍの円筒体の外周に複数列の凹溝１３ａと凸条１３ｂが列設された振動体本体１３と、該振動体本体１３に内嵌される分割要素としてのトルマリン成形体１４と、振動体本体１３に回動自在に挿通される支軸１５とから成る振動体ａが、該支軸１５において回動自在に軸支され、中間軸受５には左右の軸心よりやや高い軸心位置で軸支される支軸１５と、該支軸１５に回動自在に外嵌する３個の算盤珠状の振動体本体１６と、その頂部周面に８個所で突設される突起１６ａとから成る振動体ｂが、該支軸１５において回動自在に軸支され、右部軸受６には支軸１５と、該支軸１５に回動自在に外嵌する２個の算盤珠状の振動体本体１７と、両振動体本体１７に挟持される状態で支軸１５に外嵌される分割要素としてのロール状のフェライト磁石成形体１８とから成る振動体ｃが、該支軸１５において回動自在に軸支されて成る。
前記した支軸１５と一対の前記各軸受４、５、６との関係は、図５（ａ）に示す支軸１５の支軸本体１５ａの一方を各軸受４、５、６の頂部から切り込んだ落とし溝１９に落とし込むとともに、支軸本体１５ａの一方に突出した小径軸１５ｂを各軸受４、５、６の落とし溝１９の内面から外方に開口した受け孔１９ａに嵌入し、次いで、他方の小径軸１５ｂを落とし溝１９に落とし込むとともに、該小径軸１５ｂの突端で落とし溝１９の内面を外方に弾性変形させつつ、小径軸１５ｂを各軸受４、５、６の他方の落とし溝１９から開口した受け孔１９ａに嵌入させるものである。
なお、支軸１５を図５（ｂ）に示すように、支軸本体１５ａの一端では該支軸本体１５ａと一体に小径軸１５ｂを突設し、他端では該支軸本体１５ａに対して突端から穿孔した挿通孔１５ｃに挿通したスプリング１５ｄの弾発力によって、軸単体としての小径軸１５ｂをその外周軸心方向に凹設した案内溝１５ｅに係合するセットスクリュー１５ｆにより前記挿通孔１５ｃに出入自在に軸支したものも提供される。したがって、このような支軸１５では、支軸本体１５ａと一体の一端の小径軸１５ｂを各軸受４、５、６の一方の受け孔１９ａに挿通し、その状態で他端の出入自在な小径軸１５ｂをスプリング１５ｄの弾発力に抗して引っ込め、他方の受け孔１９ａに位相を合致させてスプリング１５ｄの弾発力で小径軸１５ｂを突出させれば、楽にかつ確実に該小径軸１５ｂを受け孔１９ａに嵌入できるものである。【０００８】  このようにして成るマッサージ器具Ａは、収納体１を掌に持ち、該収納体１の外面に露出するボタン２０を押せば、オンオフスイッチ９がオン状態に操作され、スイッチ回路１１が閉じて電池１０で振動モータ８が駆動され、その振動が収納体１の各軸受４、５、６を介して各振動体ａ、ｂ、ｃに伝達され、各様の振動刺激が人体のマッサージ部位に伝えられる。
すなわち、左部の振動体ａでは凸条１３ｂによる圧迫振動で経穴がマッサージ刺激され、同時にトルマリン成形体１４のトルマリンによる電気的特性によって一層血流がよくなり、新陳代謝を盛んにするものである。また、中間の振動体ｂでは突起１６ａの圧迫振動できめ細かに経穴がマッサージ刺激され、右部の振動体ｃでは振動体本体１７の圧迫振動による経穴のマッサージ刺激に加えて、フェライト磁石成形体１８の磁力により血流が一層よくなり、新陳代謝が盛んになって疲労回復と健康増進が図られるのである。
このように、本考案のマッサージ器具は、各様の振動体ａ、ｂ、ｃの下方が収納体１に形成した陥没収納部２に収められるから、掌サイズのコンパクトな使い易いものにして簡易に携帯され、何時でも、何処でも前記した各様のマッサージ効果を提供し、疲労回復と健康増進に寄与できるものである。
【産業上の利用可能性】
【０００９】  本考案のマッサージ器具によれば、掌サイズの極めて軽量コンパクトに携帯できるものであるから、何時でも、何処でも簡便に使用されて疲労回復と健康増進に寄与するものであり、特に高齢者には使い易いものとしてその需要が大いに期待される上、健康器具業界にとってもハンディな魅力ある商品として期待され得るものである。
【図面の簡単な説明】
【００１０】
【図１】  本考案のマッサージ器具Ａの正面図。
【図２】  図１の振動体ａの一部を破断した状態の平面図。
【図３】  図１の右側面図。
【図４】  図１の底蓋１２を外した状態の底面図。
【図５】  支軸１５の説明図で、（ａ）は支軸本体１５ａの両端に小径軸１５ｂを一体に突出した支軸１５を示し、（ｂ）は支軸本体１５ａの一端に小径軸１５ｂを一体にし、他端の小径軸１５ｂをスプリング１５ｄを介して支軸本体１５ａに出入自在に軸支した支軸１５を示す。
【符号の説明】
【００１１】１  収納体
２  陥没収納部
３  周壁
４  左部軸受
５  中間軸受
６  右部軸受
７  下部陥没収納部
８  振動モータ
８ａ  ケース
９  オンオフスイッチ
１０  電池
１０ａ  電池ボックス
１１  スイッチ回路
１２  底蓋
１３  振動体本体
１３ａ  凹溝
１３ｂ  凸条
１４  トルマリン成形体
１５  支軸
１５ａ  支軸本体
１５ｂ  小径軸
１５ｃ  挿通孔
１５ｄ  スプリング
１５ｅ  案内溝
１５ｆ  セットスクリュー
１６  振動体本体
１６ａ  突起
１７  振動体本体
１８  フェライト磁石成形体
１９  落とし溝
１９ａ  受け孔
２０  ボタン
ａ  振動体
ｂ  振動体
ｃ  振動体
Ａ  マッサージ器具
【図１】
0003133787.tif 000003
【図２】
0003133787.tif 000004
【図３】
0003133787.tif 000005
【図４】
0003133787.tif 000006
【図５】
0003133787.tif 000007